(57)【要約】【課題】  操作部とベース部材の間に、操作部の動作不良、接点の接触不良、漏電による火災等の原因となるような埃が入りにくく、シンプルな外観で、意匠に重点をおかれたい電気スイッチ形照明器具を得る。また、操作部はベース部材と一対となるという既成概念を覆す不思議な意匠、操作感覚及び照明器具としての安定感を得る。【解決手段】  操作部の中に構成部材を内蔵し、床面等の水平面をベース部材として利用できるように、重力を有効利用する。【選択図】          図１
2008060055.tif 000002
【特許請求の範囲】
【請求項１】
外郭を通る第１揺動軸線方向からの投影図において、
外郭線上に順に第１外郭点、第２外郭点、第４外郭点、第５外郭点、操作形状及び前記第１外郭点と、
前記第２外郭点及び前記第４外郭点の略中央部に前記第１揺動軸線が通る第３中心点と、
前記第１外郭点及び前記第２外郭点を通る第１直線及び前記第４外郭点及び前記第５外郭点を通る第２直線に対して等しいなす角で前記第３中心点を通る第３直線と、
水平面に接地した際に前記第１外郭点及び前記第２外郭点が接地する第１静止位置と、
前記第１静止位置から前記第１揺動軸線を中心に揺動させた際に前記水平面に前記第４外郭点及び前記第５外郭点が接地する第２静止位置と、
前記第３直線付近の第１中心点を通り前記第１揺動軸線に対して略平行な第２揺動軸線を中心に重力に引かれる方向に揺動可能で前記外郭線の内側に設けられる重り、又は、前記第３中心点付近を中心として前記第１外郭点及び前記第５外郭点の方向に伸びる空洞の内部で重力に引かれる方向に移動可能で前記外郭線の内側に設けられる重りと、
前記水平面に対しての前記第１揺動軸線を中心とする揺動角度を検出して開閉される第１電気伝導経路と、
前記第１電気伝導経路に接続され、前記操作形状に設置される電気式光源と、
を備える揺動体は、
前記第１静止位置における第１重心点から前記水平面への最短距離よりも、前記第１重心点から前記第１外郭点への最短距離及び前記第１重心点から前記第２外郭点への最短距離の方が長く、
前記第２静止位置における第２重心点から前記水平面への最短距離よりも、前記第２重心点から前記第４外郭点への最短距離及び前記第２重心点から前記第５外郭点への最短距離の方が長く、
前記操作形状は前記第３中心点から離れる方向で前記第３直線におよそ沿う方向に棒状に伸ばされている、
照明器具。
【請求項２】
前記第１電気伝導経路は、前記重り及び前記外郭の相対位置を直接検出し、前記相対位置に応じて開閉される、
請求項１に記載の照明器具。
【請求項３】
前記揺動体の前記第１揺動軸線付近に前記第１電気伝導経路に接続される第１一対の電極を備えた電極部が設けられ、
前記揺動体が前記第１揺動軸線を中心に揺動可能になるように前記揺動体に係合する係合部と、
前記係合部に前記揺動体を係合している際は前記第１一対の電極にそれぞれ接触する第２一対の電極と、
前記第２一対の電極と電源の間に接続される第２電気伝導経路と、
を備えるベース体を備える、
請求項１に記載の照明器具。
【請求項４】
前記第１揺動軸線付近に、前記第１電気伝導経路に接続される第１インダクタが設けられ、
前記揺動体が前記第１揺動軸線を中心に揺動可能になるように前記揺動体に係合する係合部と、
前記係合部に前記揺動体を係合している際は前記第１インダクタと相互誘導可能な第２インダクタと、
前記第２インダクタと電源の間に接続される第２電気伝導経路と、
を備えるベース体を備える、
請求項１に記載の照明器具。
【請求項５】
前記操作形状の先端は、前記第３直線に対して前記第１外郭点又は前記第５外郭点の方向に偏っている、
請求項１に記載の照明器具。
【発明の詳細な説明】
【技術分野】
【０００１】
本発明は、照明器具に関する。
【背景技術】
【０００２】
電気スイッチにおいては、住宅等の壁面に内蔵されて商用電源から照明器具へつながる電線の途中に挿入され、点灯、消灯を操作するものや、住宅等の壁面に設置されたコンセント（商用電源の取り出し口）から照明器具や暖房器具等へつながる電線の途中に挿入され操作するものや、テレビやオーディオアンプ等の電化製品に内蔵されて主電源や音量等を操作するものなどがある。
【０００３】
これらの電化製品の中でも床面や卓上面に設置される照明器具は、意匠に重点をおいた繊細な製品が多く、簡便に操作できる位置に電源スイッチを内蔵することが困難である場合が多い。そこで、足踏式のプッシュスイッチを内蔵した箱を床面に設置して、壁面に設置されたコンセントから床面に設置された照明器具へつながる電線の途中に挿入し、点灯、消灯を操作するものや、スライドスイッチやシーソースイッチを内蔵した箱を卓上面に設置して、壁面に設置されたコンセントから卓上面に設置された照明器具へつながる電線の途中に挿入し、点灯、消灯を操作するものがある。
【０００４】
これら照明器具の電気スイッチでは、手や足で操作する操作部は、ベース部材に揺動可能、あるいは直線運動可能に設置されているものが多く、操作部の静止位置を数ヶ所に決定する為に、コイルバネ、板バネ、皿バネ等を用いている。（特許文献１から特許文献５参照）
【０００５】
【特許文献１】特開平９−２８８９３６号公報
【特許文献２】特開２００２−１７０４６２号公報
【特許文献３】特開２００２−２８９０５７号公報
【特許文献４】特開２００３−２５７２７０号公報
【特許文献５】特開２００５−０１９１３６号公報
【発明の開示】
【発明が解決しようとする課題】
【０００６】
電気スイッチにおいては、操作部とベース部材の間に、操作部の動作不良、接点の接触不良、漏電による火災等の原因となるような埃が入りにくく、シンプルな外観で、意匠に重点をおかれた照明器具と組み合わせやすいことが望まれる。
【０００７】
また、操作部はベース部材と一対となるという既成概念を覆す不思議な意匠と操作感覚も望まれる。
【課題を解決するための手段】
【０００８】
本発明の実施形態図等を用いて以下に説明するが、これは本発明の内容をより把握しやすいようにする為で、添付の特許請求の範囲を縮小するものではない。
また、各図に記載の符号は数字のみ、あるいは数字とアルファベットの小文字で構成されているが、数字が同一であるということは、互いに対応している部分であることを表す。よって、数字のみの符号は、数字が同一であり数字とアルファベットの小文字で構成される符号を含む。
【０００９】
発明１に係る照明器具は、例えば図１から図４のように、
外郭を通る第１揺動軸線方向から見た投影図において、
外郭線８上に順に外郭点１、外郭点２、外郭点４、外郭点５、操作形状１０及び外郭点１と、
外郭点２及び外郭点４の略中央部に前記第１揺動軸線が通る中心点３と、
外郭点１及び外郭点２を通る第１直線及び外郭点４及び外郭点５を通る第２直線に対して等しいなす角で中心点３を通る第３直線と、
水平面４０に接地した際に外郭点１及び外郭点２が接地する第１静止位置と、
前記第１静止位置から前記第１揺動軸線を中心に揺動させた際に水平面４０に外郭点４及び外郭点５が接地する第２静止位置と、
前記第３直線付近の中心点９を通り前記第１揺動軸線に対して略平行な第２揺動軸線を中心に重力に引かれる方向に揺動可能で外郭線８の内側に設けられる重り１３、又は、中心点３付近を中心として外郭点１及び外郭点５の方向に伸びる空洞２３の内部で重力に引かれる方向に移動可能で外郭線８の内側に設けられる重り１９と、
水平面４０に対しての前記第１揺動軸線を中心とする揺動角度を検出して開閉される第１電気伝導経路と、
前記第１電気伝導経路に接続され、操作形状１０に設置される電気式光源２５と、
を備える揺動体は、
前記第１静止位置における重心点６から水平面４０への最短距離よりも、重心点６から外郭点１への最短距離及び重心点６から外郭点２への最短距離の方が長く、
前記第２静止位置における重心点７から水平面４０への最短距離よりも、重心点７から外郭点４への最短距離及び重心点７から外郭点５への最短距離の方が長く、
操作形状１０は中心点３から離れる方向で前記第３直線におよそ沿う方向に棒状に伸ばされている、
照明器具である。
【００１０】
水平面４０に対しての前記第１揺動軸線を中心とする前記揺動体の揺動角度を検出する方法としては、水銀スイッチ等の傾斜スイッチや、ジャイロセンサー等の傾斜センサーを前記揺動体に内蔵する方法が考えられる。
【００１１】
発明２に係る照明器具は、発明１に記載の照明器具において、例えば図１から図４のように、
前記第１電気伝導経路は、重り１３（１９）及び前記外郭の相対位置を直接検出し、前記相対位置に応じて開閉される、
照明器具である。
【００１２】
重り１３（１９）及び前記外郭の相対位置を直接検出して、間接的に水平面４０に対しての前記第１揺動軸線を中心とする前記揺動体の揺動角度を検出する方法としては、前記揺動角度に応じて重り１３（１９）が前記外郭の内側に設置されたスイッチ１７の検出片１８を直接押すような方法や、重り１３（１９）を電気伝導体として重りの位置によって重り１３（１９）自身に開閉される第１一対の電極である共通端子１６及び常時開路端子１５又は共通端子１６及び常時閉路端子２０を前記外郭の内側に設置するような方法等の接触型や、リードスイッチと磁石、ホール素子と磁石、サーチコイルと磁性体又は光センサと遮蔽物の、前者を前記外郭の内側に、後者を重り１３（１９）に設置する等の非接触型が考えられる。
【００１３】
発明３に係る照明器具は、発明１に記載の照明器具において、例えば図５及び図６のように、
前記揺動体の前記第１揺動軸線付近に前記第１電気伝導経路に接続される一対の電極５１を備えた電極部５０が設けられ、
前記揺動体が前記第１揺動軸線を中心に揺動可能になるように前記揺動体に係合する係合部５６と、
係合部５６に前記揺動体を係合している際は一対の電極５１にそれぞれ接触する一対の電極５５と、
一対の電極５５と電源の間に接続される第２電気伝導経路と、
を備えるベース体５４を備える、
照明器具である。
【００１４】
発明４に係る照明器具は、発明１に記載の照明器具において、例えば図７及び図８のように、
前記第１揺動軸線付近に、前記第１電気伝導経路に接続される第１インダクタが設けられ、
前記揺動体が前記第１揺動軸線を中心に揺動可能になるように前記揺動体に係合する係合部５６と、
係合部５６に前記揺動体を係合している際は前記第１インダクタと相互誘導可能な第２インダクタと、
前記第２インダクタと電源の間に接続される第２電気伝導経路と、
を備えるベース体５４を備える、
照明器具である。
【００１５】
発明５に係る照明器具は、発明１に記載の照明器具において、例えば図７及び図８のように、
操作形状１０の先端は、前記第３直線に対して外郭点１又は外郭点５の方向に偏っている、
照明器具である。
【発明の効果】
【００１６】
発明１では、従来の電気スイッチを構成していたベース部材を必要とせずに、操作形状１０を有する揺動体を床面や卓上面等の水平面４０と重力を利用して中心点３を通る第１揺動軸線を中心に揺動させ、第１静止位置と第２静止位置におよそ等しく静止しやすいようにしてやり、第１静止位置と第２静止位置における揺動体の揺動角度を検出、比較することで第１電気伝導経路を開閉させるので、最高にシンプルな外観が得られ、また容易に防塵構造とすることができる。
【００１７】
また、重り１３に係る方を選択した発明１によると、中心点９を通る第２揺動軸線を中心に揺動可能な重り１３によって、揺動体の重心点６と重心点７が外郭線８に対して移動するので、低重心で揺動体が意図せぬ方向に転倒しにくいようにしながら、第１静止位置と第２静止位置の間の揺動角度が小さくても電気スイッチとしての誤動作を効果的に防ぐことが可能で、第１揺動軸線を中心に揺動する外観から想像し難い不思議な操作感覚と安定感を得ることができる。
【００１８】
また、重り１９に係る方を選択した発明１によると、中心点９に左右されずに移動可能な重り１９によって、揺動体の重心点６と重心点７が外郭線８に対して比較的大きく移動するので、さらに低重心で揺動体が意図せぬ方向に転倒しにくいようにしながら、第１静止位置と第２静止位置の間の揺動角度が小さくても電気スイッチとしての誤動作を効果的に防ぐことが可能で、第１揺動軸線を中心に揺動する外観から想像し難い不思議な操作感覚と安定感を得ることができる。
【００１９】
さらに発明２によると、揺動体を安定させる為の重り１３（１９）を有効利用して揺動体の揺動角度を検出することが可能となる。
【００２０】
さらに発明３によると、揺動体の外部から第１電気伝導経路に電力供給を行うことが容易となる。
【００２１】
さらに発明４によると、電極の接触不良等の問題を回避しながら、揺動体の外部から第１電気伝導経路に電力供給を行うことが容易となる。
【００２２】
さらに発明５によると、操作形状１０の先端付近を手に持って移動する際に、第３直線が水平面４０に対して垂直になりにくくなるので、移動の際、電気式光源２５が点滅しにくくなる。
【発明を実施するための最良の形態】
【００２３】
｛第１実施形態｝
図１から図３において、水平面４０に置かれた揺動体は、第１静止位置では外郭点１a及び外郭点２aが水平面４０に接地され、第１静止位置から中心点３aを通る第１揺動軸線を中心に時計回りにおよそ３０度揺動した第２静止位置では外郭点４a及び外郭点５aが水平面４０に接地される。
また、この揺動角度は、操作形状１０aの操作ストローク量の短縮等を考慮して好ましくは９０度以下であり、さらに好ましくは６０度以下である。
また、外郭点２aから外郭点１aまでの距離と、外郭点４aから外郭点５aまでの距離はほぼ同じである。
【００２４】
また、図２のように中心点３a付近を拡大表示して説明すると、中心線３a付近の外郭線８aに角アールや面取りが設けられていれば揺動体の転がりを生じるので、揺動体の外郭に対して中心点３aが完全に固定されるとは限らない。
【００２５】
また、揺動体の外箱１１aの内側で外郭点１aの付近には鉄製の重り３１aが外箱１１aの樹脂射出成型時にインサートされ、外箱１１aの内側で外郭点５a付近にも鉄製の重り３２aが同様にインサートされる。この重り３１aと重り３２aの質量は共におよそ１００グラムであり、外箱１１aの質量はおよそ１０グラムである。
また、外箱１１a等の重心の偏りにあわせて揺動体の重り３１aと重り３２aの質量をそれぞれ変化させることで、揺動体全体としての重量バランスを整えることが容易となる。
【００２６】
また、重り３１a及び重り３２aの替わりに電池が設置されてもよい。電池は外箱１１に設けられた取り出し穴から入れ替え可能になっていてもよい。
【００２７】
また、水平面４０に垂直で重力と逆向き、すなわち図１の上方向に伸ばされた操作形状１０aは、一端が外箱１１aに設けられた穴１２aに圧入嵌合されるアルミ製のパイプであるパイプ形状２６aと、パイプ形状２６aの他端に固定されて操作者が指をかけやすい中空半透明樹脂製の球形状２４aで構成されており、球形状２４aには一対の電極がそれぞれ導線２１aと導線２２aにハンダ接続された電気式光源２５aである発光ダイオードが内蔵されている。また、電気式光源２５に電流制限回路等の制御回路が必要であれば備えられる。
【００２８】
また、操作形状１０が外箱１１と一体に成型されたり、パイプ形状２６aではなくて中実棒に沿うように導線２１a（２２a）が配置されたり、Ｕ字状断面の棒に導線２１a（２２a）が内蔵されてもよい。
【００２９】
また、球形状２４は半透明でなくてもよく、光を透過する素材であれば樹脂に限定されない。また、図３のように球形状２４aの替わりに設けられる球形状２４bにリフレクタ２７bが設けられてもよい。このリフレクタ２７bは光を透過する部分と別に成型されて一体の球形状２４bにされてもよいし、光を透過する素材に金属の真空蒸着やメッキを施すことによって設けられてもよい。
また、球形状２４はランプシェード又はリフレクタとしての役割、又は電気式光源２５の発生する熱に直接触れないようにする役割を果たすのであれば球形状でなくてもよいし、網等の光を透過する構造であってもよい。
【００３０】
また、外郭点１aと外郭点５aからおよそ等しい距離で、穴１２a付近の外箱１１aの内側に中心点９aがあり、中心点９aを通る第２揺動軸線を中心に揺動可能な重り１３aは質量２００グラムの鋳鉄製で、第２揺動軸線を中心とする軸部は重り１３aに一体成型されており、外箱１１aに設けられた穴に隙間嵌合されている。この中心点９aを通る第２揺動軸線と、中心点３aを通る第１揺動軸線はおよそ平行である。
【００３１】
また、外箱１１aが第１揺動軸線を中心に揺動しても、重り１３aは重力に引かれる方向、すなわち水平面４０に垂直下向きの方向を指すように揺動するので、第１静止位置及び第２静止位置それぞれにおける揺動体の重心点６a及び重心点７aが外郭線８aに対して異なる位置になる。
しかし、重り１３aが時計回りに揺動する際は、外箱１１aにネジで固定された樹脂製のバンパー１４aが揺動角度を制限し、反時計回りに揺動する際は、外箱１１aにネジで固定され第１電気伝導経路に挿入されたスイッチ１７aの検出片１８aを押しきる位置で揺動角度が制限される。この検出片１８aが押されることで、スイッチ１７aの常時開路端子１５aと共通端子１６aが閉じられる。よって、第２静止位置において第１電気伝導経路が閉じられることになる
【００３２】
また、スイッチ１７aに常時閉路端子を備えたものを使用して、共通端子１６aと常時開路端子１５aが閉じられる場合と、共通端子１６aと常時閉路端子が閉じられる場合とで、電気式光源２５aに供給する電力値を切り替えて、照明器具として消灯している際も暗闇で操作形状１０aの位置を知らせる為に僅かに光るようにしたり、複数の電気式光源２５を切り替えて同様の機能をもたせてもよい。
【００３３】
また、光を透過するパイプ形状２６の中に電気式光源２５を設けてパイプ形状２６自身を光らせたり、また外箱１１内の穴１２付近に電気式光源を設けて、操作形状１０と外箱１１の接続部から光を入力し、操作形状１０で光を透過及び反射させて操作形状１０を全体的に電気式光源２５として光らせるようなことも考えられる。
【００３４】
｛第２実施形態｝
第２実施形態は第１実施形態に記載の照明器具において、図４のように、重り１３a及び重り１３aの揺動角度を検出、制限する部分の替わりに、
外箱１１cの内側で、中心点３c付近を中心として外郭点１cと外郭点５cの方向におよそ等しく伸びる空洞２３cが外箱１１cと一体に成型されており、黄銅にニッケルメッキを施した質量５０グラムの球状の重り１９cが空洞２３cの中を移動できるようになっている。
また、外箱１１cが第１揺動軸線を中心に揺動しても、重り１９cは重力に引かれる方向、すなわち水平面４０に近づくように移動するので、第１静止位置及び第２静止位置それぞれにおける揺動体の重心点６c及び重心点７cが外郭線８cに対して異なる位置になる。
【００３５】
また、重り１９cが外郭点１cの方向に移動する際は、電極が空洞２３c内に露出するように空洞２３cの壁面にインサートされた常時開路端子１５c、共通端子１６c及び常時閉路端子２０cのうちの、共通端子１６cの電極と常時閉路端子２０cの電極の両方に当たって止まり、重り１９cが外郭点５cの方向に移動する際は、共通端子１６cの電極と常時開路端子１５cの電極の両方に当たって止まる。よって、第１静止位置において共通端子１６cと常時開路端子１５cが開かれて、共通端子１６cと常時閉路端子２０cが閉じられることになり、第２静止位置において共通端子１６cと常時閉路端子２０cが開かれて、共通端子１６cと常時開路端子１５cが閉じられることになる。
【００３６】
｛第３実施形態｝
第３実施形態は第１実施形態又は第２実施形態に記載の照明器具において、図５及び図６のように、揺動体の第１揺動軸線付近に、第１電気伝導経路に接続される一対の電極５１pを備えた円柱形状の電極部５０pが第１揺動軸線に沿うように外箱１１dの両端に一体に成型されており、この両端に黄銅にニッケルメッキを施したリング状の一対の電極５１pが嵌合されている。
【００３７】
また、一対の電極５１pが４個の整流用ダイオードから構成されるブリッジ整流回路を介して第１電気伝導経路に接続されることで、直流電源の逆接続入力に対応するようにされてもよい。
【００３８】
また、図６のように電極部５０pをＶ字状の係合部５６pの谷間に係合可能で、水平面４０に設置されるベース体５４pを新たに備える。このＶ字状の係合部５６pの谷間には、係合された電極部５０pの一対の電極５１pに付勢しながらそれぞれ接触する一対の電極５５pが備えられている。よって、揺動体が円柱形状の電極部５０pを中心に揺動しても、一対の電極５１p及び一対の電極５５pの間の電気的な導通は確保される。
【００３９】
また、外箱１１dの内部には、ニッケル水素充電池又はリチウムイオン充電池等の充電可能な電池が内蔵されており、この電池は電気式光源２５に電力供給することが可能で、一対の電極５１pから電力を供給されることが可能である。
【００４０】
また、ベース体５４pには整流平滑回路、降圧回路及び出力短絡保護回路が内蔵されており、これら回路の入力側は商用電源に接続され、出力側は一対の電極５５pに接続されている。
【００４１】
｛第４実施形態｝
第４実施形態は第１実施形態又は第２実施形態に記載の照明器具において、図７及び図８のように、揺動体の第１揺動軸線付近に、第１電気伝導経路に接続される第１インダクタである略中央部にコイルの巻かれたU字状コアが内蔵されており、U字状コアの両端６０qに挟まれ第１揺動軸線に沿うように、外箱１１eに凹形状６１qが設けられている。また、第１インダクタは整流平滑回路を介して第１電気伝導経路に接続されている。
【００４２】
また、図８のように凹形状６１qを凸形状である係合部５６qに係合可能で、水平面４０に設置されるベース体５４qを新たに備える。この係合部５６qには、第２インダクタである略中央部にコイルの巻かれたI字状コアが内蔵されており、凹形状６１qに係合部５６qが係合されている際は、I字状コアの両端６２qがそれぞれU字状コアの両端６０qに磁気的に結合される。よって、揺動体が凹形状６１qを中心に揺動しても、Ｉ字状コアの中心軸線付近を中心に揺動することになるので、第１インダクタと第２インダクタは相互誘導可能となる。
【００４３】
また、外箱１１eの内部には、ニッケル水素充電池又はリチウムイオン充電池等の充電可能な電池が内蔵されており、この電池は電気式光源２５に電力供給することが可能で、第１インダクタから電力を供給されることが可能である。
【００４４】
また、ベース体５４qには整流平滑回路及び高周波電流出力回路が内蔵されており、これら回路の入力側は商用電源に接続され、出力側は第２インダクタに接続されている。
【００４５】
また、操作形状１０eの先端は、第３直線に対して外郭点１eの方向に偏っており、先端付近には第１揺動軸線に略平行な中心軸線を有する円筒形状２８eが球形状２４の代わりに設けられ、電気式光源２５を内蔵している。この円筒形状２８eを手で軽く握って揺動体を持ち上げると、円筒形状２８eを中心に揺動体が揺動して外郭点１eよりも外郭点５eが水平面４０に近くなって静止し、電気式光源２５は点灯するが、消灯するように変更してもよい。
【図面の簡単な説明】
【００４６】
【図１】第１実施形態の第１揺動軸線方向からの投影図の断面図により２つの静止位置を表す図
【図２】図１の中心点３a付近を拡大した図
【図３】電気式光源２５b付近を拡大した断面図
【図４】第２実施形態の第１揺動軸線方向からの投影図の断面図により２つの静止位置を表す図
【図５】第３実施形態の正面図と右側面図（ベース体５４pを含まない）
【図６】第３実施形態の正面図と右側面図（ベース体５４pを含む）
【図７】第４実施形態の正面図と右側面図（ベース体５４qを含まない）
【図８】第４実施形態の正面図と右側面図（ベース体５４qを含む）
【符号の説明】
【００４７】
１,２,４,５                         外郭点
３,９                                  中心点
６,７                                  重心点
８                                       外郭線
１０                                   操作形状
１１                                   外箱
１２                                   穴
１３,１９, ３１,３２        重り
１４                                   バンパー
１５                                   常時開路端子
１６                                   共通端子
１７                                   スイッチ
１８                                   検出片
２０                                   常時閉路端子
２１,２２                           導線
２３                                   空洞
２４                                   球形状
２５                                   電気式光源
２６                                   パイプ形状
２７                                   リフレクタ
２８                                   円筒形状
４０                                   水平面
５０                                   電極部
５１,５５                           一対の電極
５２,５３                           アタリ形状
５４                                   ベース体
５６                                   係合部
６０,６２                           両端
６１                                   凹形状
【図１】
2008060055.tif 000003
【図２】
2008060055.tif 000004
【図３】
2008060055.tif 000005
【図４】
2008060055.tif 000006
【図５】
2008060055.tif 000007
【図６】
2008060055.tif 000008
【図７】
2008060055.tif 000009
【図８】
2008060055.tif 000010